(57)【要約】【課題】店頭での販売時に、収納した商品の数量が少なくなっても、残りの商品が転倒しないばかりか、見えやすくて取り出しやすい紙製カートンを提供すること。【解決手段】胴部を下半部分と上半部分とに分離するためのジッパー部Ｚが胴部を周回するように設けられており、上半部分における左右の側面パネルには中央を縦断する折り線ｍが設けられている。店頭での展示販売時に際して、分離した上半部分から天面部を切り取り、両方が空いた筒状の部材を折り線ｍに沿って蛇腹形状に折り畳み、その蛇腹パーツを商品の後ろ側に入れることにより、商品が少なくなった時に蛇腹パーツが伸びて残った商品を前に押すので、商品の倒れを防止することができる。【選択図】図１
2015063319.tif 000002
【特許請求の範囲】
【請求項１】
正面パネルと背面パネルと左右の側面パネルとからなる胴部と、その胴部の上下を閉じる天面部と底面部とからなり、複数の商品を前後に並べて収納する紙製カートンであって、胴部を下半部分と上半部分とに分離するためのジッパー部が胴部を周回するように設けられており、上半部分における左右の側面パネルには中央を縦断する折り線が設けられていることを特徴とする紙製カートン。
【請求項２】
胴部と天面部の境界の折り線が切取り可能になっていることを特徴とする請求項１に記載の紙製カートン。
【請求項３】
ジッパー部は正面パネルのところで下半部分に食い込む形で広くなっていることを特徴とする請求項１又は２に記載の紙製カートン。
【発明の詳細な説明】
【技術分野】
【０００１】
本発明は、板紙からなるカートンの技術分野に属し、詳しくは、調味料や菓子などの個装製品をまとめて流通するとともに、これをそのまま店頭にて展示するために用いられる紙製カートンに関するものである。
【背景技術】
【０００２】
従来より、調味料や菓子などの個装製品をまとめて運搬する際に、板紙からなる各種の紙製カートンが用いられており、このような複数個の個装製品を収納した紙製カートンにあっては、店頭において販売するときに、カートン上部を取り去ることで中の個装商品を露出させ、カートンに入った状態のまま棚に並べることが行われている。そして、収納する個装製品がパウチやブリスターパックなど自立性のない形状である場合、前後に並んだ商品がいくつかが抜き取られて数量が少なくなると、残りの商品が前後に倒れて見苦しくなってしまうことになる。そこで、このような事態を防ぐものとして、商品の転倒を防止する機能を持たせた紙製カートンが知られている（例えば、特許文献１〜３参照）。
【０００３】
特許文献１に記載のものは、両側板に切目線を設け、切目線の切断に伴い箱上部を除去して商品を展示するようにしたカートンで、両側板に折目線を基端とする折込片を設けてあり、商品の展示状態でこの折込片を内側に折り込むと、折込片が反発して波形状の先端縁が商品を押圧し、この押圧により商品の転倒を防止するようにしている。
【０００４】
特許文献２に記載のものは、側板の上縁に先端を波状とした蓋受片を連設してあり、前板、両側板及び後板に形成した切取帯部を切り取ることにより箱上半部を分離して上側を開放した状態の箱下半部内に商品を展示するカートンで、分離した箱上半部のうち、蓋受片を含む枠部材を箱下半部内に差し込み、その蓋受片に商品の縁部を押圧、支持させるようにしている。
【０００５】
特許文献３に記載のものは、左右側板に対向してコの字状の押込み部を少なくとも２箇所設けてあるカートンで、これらの押込み部を垂直に内側に押し込むことでサイドストッパーとし、内側に突出したサイドストッパーにより中の商品が倒れるのを防止するようにしている。
【先行技術文献】
【特許文献】
【０００６】
【特許文献１】特開２００１−３５４２３７号公報
【特許文献２】特開２００６−２７６６０号公報
【特許文献３】特開２０１１−２１９１３１号公報
【発明の概要】
【発明が解決しようとする課題】
【０００７】
上記した紙製カートンは、店頭での販売時において、いずれも残った商品の転倒を防止する機能はあるものの、商品は前の方から順に抜き取られるので、残った商品は後の方にあって正面から見えにくくなり、また取り出しにくくなるという問題点がある。
【０００８】
本発明は、このような問題点に鑑みてなされたものであり、その目的とするところは、店頭での販売時に、収納した商品の数量が少なくなっても、残りの商品が転倒しないばかりか、見えやすくて取り出しやすい紙製カートンを提供することにある。
【課題を解決するための手段】
【０００９】
上記の目的を達成するため、本発明の紙製カートンは、正面パネルと背面パネルと左右の側面パネルとからなる胴部と、その胴部の上下を閉じる天面部と底面部とからなり、複数の商品を前後に並べて収納する紙製カートンであって、胴部を下半部分と上半部分とに分離するためのジッパー部が胴部を周回するように設けられており、上半部分における左右の側面パネルには中央を縦断する折り線が設けられていることを特徴とする。
【００１０】
そして、上記構成の紙製カートンにおいて、胴部と天面部の境界の折り線が切取り可能になっていることが好ましい。
【００１１】
また、上記構成の紙製カートンにおいて、ジッパー部は正面パネルのところで下半部分に食い込む形で広くなっていることが好ましい。
【発明の効果】
【００１２】
本発明の紙製カートンは、店頭での展示販売時に際して、分離した上半部分から天面部を切り取り、両方が空いた筒状の部材を折り線に沿って蛇腹形状に折り畳み、その蛇腹パーツを商品の後ろ側に入れることにより、商品が少なくなった時に蛇腹パーツが伸びて残った商品を前に押すので、商品の倒れを防止することができる。しかも、残りの商品はカートン内の前方に位置するので、見えやすくて取り出しやすい。また、胴部の上半部分を利用するので、開封時に棄てるゴミが少なくなるという利点もある。
【図面の簡単な説明】
【００１３】
【図１】本発明に係る紙製カートンの一例を示す斜視図である。
【図２】図１の紙製カートンを組み立てるブランクの展開図である。
【図３】図１の紙製カートンを開封した状態で示す斜視図である。
【図４】図１の紙製カートンから分離して天面部を切り取った状態の上半部分を示す斜視図である。
【図５】図１の紙製カートンを開封した後でその中身を一部抜き取った状態で示す斜視図である。
【発明を実施するための形態】
【００１４】
次に、本発明の実施形態について図面を参照しながら詳細に説明する。
【００１５】
図１は本発明に係る紙製カートンの一例を示す斜視図であり、この角筒状で縦長のカートンは、複数の商品（ここでは、ふりかけ、粉末味噌汁などの粉状食品をパウチに入れた個装製品）を前後に並べて収納したものであって、図２にその展開図を示すブランクを組み立てて形成される。
【００１６】
図２のブランクは、板紙を打ち抜いて形成されたもので、図示のように、縦方向の折り線ａ，ｂ，ｃを介して背面パネル１、左側面パネル２、正面パネル３、右側面パネル４がこの順で連設され、背面パネル１の反対側に折り線ｄを介して糊代片５が連設されている。また、背面パネル１と正面パネル３の上辺にはそれぞれ折り線ｅ，ｆを介して天面パネル６，７が連設され、左側面パネル２と右側面パネル４の上辺にはそれぞれ折り線ｇ，ｈを介して折込みフラップ８，９が連設されており、背面パネル１と正面パネル３の下辺にはそれぞれ折り線ｉ，ｊを介して底面パネル１０，１１が連設され、左側面パネル２と右側面パネル４の下辺にはそれぞれ折り線ｋ，ｌを介して折込みフラップ１２，１３が連設されている。
【００１７】
図２のブランクには、カートンの胴部を下半部分と上半部分とに分離するために、中央を横断する帯状のジッパー部Ｚが設けられている。そして、このジッパー部Ｚは、正面パネル３のところで下方に向けて矩形状に食い込む拡大部分３ａを有しており、この拡大部分３ａのところにジッパー部Ｚの開封開始部分Ｔを設けている。さらに、左側面パネル２，右側面パネル４におけるジッパー部Ｚより上の部分には、中央を縦断する折り線ｍ，ｎが設けられている。
【００１８】
また、背面パネル１と天面パネル６の境界にある折り線ｅ、左側面パネル２と折込みフラップ７の境界にある折り線ｇ、正面パネル３と天面パネル７の境界にある折り線ｆ、右側面パネル４と折込みフラップ９の境界にある折り線ｈは、切取りが可能なミシン目で構成されており、左側面パネル２の上部には、正面パネル３寄りのところに、折り線ｇに繋がる押込み部分２ａがミシン目により区画されている。
【００１９】
図２のブランクを組み立てて図１に示す紙製カートンを形成するが、その手順は通常のカートンと同様である。まず、糊代片５を背面パネル１に貼り合わせたサック貼り状態で折り畳む。そして、この折り畳んだブランクを起こして角筒状の胴部を形成してから、下側の折込みフラップ１２，１３を内側に折り曲げ、その上から底面パネル１０，１１を折り曲げて糊付けすることで底面部を形成する。そして、胴部に所定数の商品をまとめて投入した後、上側の折込みフラップ８，９を内側に折り曲げ、その上から天面パネル６，７を折り曲げて糊付けすることで天面部を形成する。
【００２０】
図１の紙製カートンは、店頭での展示販売時に際し、開封開始端部Ｔを摘んで引き上げながら胴部を周回するようにして、ジッパー部Ｚを破断除去することで下半部分から上半部分を分離する。すると、図３に示すように、中の商品Ｐが下半部分の中に並んだ状態で現れる。この時、正面パネル３の拡大部分３ａも一緒に除去され、下半部分の正面パネル３には大きな窓が形成されるが、窓の両側に正面パネル３の一部を残しているので、商品Ｐが前方に倒れることはない。
【００２１】
一方、分離した上半部分は、図４に示す如くその天面部を切り取った状態にする。この時、左側面パネル２の上部にある押込み部分２ａを指先で押して、その勢いでミシン目である折り線ｅ，ｆ，ｇ，ｈのところを周回するように切ることで容易に天面部を切り取ることができる。そして、このように両方が空いた筒状の部材を折り線ｍ，ｎに沿って蛇腹形状に折り畳み、その蛇腹パーツを商品の後ろ側に入れる。この時、複数の商品を前方に詰めるように手で押し、開けた後側に蛇腹パーツを押し込むようにするとよい。
【００２２】
このように蛇腹パーツをセットした状態で店頭に並べるが、商品Ｐが売れて下半部分の中の商品Ｐが少なくなると、図５に示すように、折り畳んだ蛇腹パーツＳが伸びて残った商品Ｐを前に押すことになる。したがって、商品Ｐの間の隙間が無くなって商品Ｐが倒れるのが防止される。しかも、残りの商品Ｐはカートン内の前方に位置するので、見えやすくて取り出しやすい。
【００２３】
そして、この蛇腹パーツは、一度作っておけば、同じサイズの紙製カートンを開封して展示する場合に流用することができる。
【００２４】
以上、本発明の実施の形態について、一つの例を挙げて詳細に説明してきたが、本発明による紙製カートンは、上記実施の形態に何ら限定されるものではなく、本発明の趣旨を逸脱しない範囲において種々の変更が可能であることは当然のことである。
【００２５】
例えば、上記の例では、胴部と天面部の境界の折り線をミシン目で構成し、天面部を手で切り取るようにしているが、押し罫のままにしておいてカッターやハサミなどで切り取るようにしてもよい。
【００２６】
また、上記の例では、ジッパー部は正面パネルのところで下半部分に食い込む拡大部分を有しているが、この拡大部分の形状は矩形状に限らないし、また下半部分が低い場合など、ジッパー部の拡大部分は必ずしも設けなくてもよいものである。また、上記の例では、ジッパー部を帯状にしているが、要は胴部を２分できればよいので、胴部を周回する一本のミシン目で構成しても構わない。
【符号の説明】
【００２７】
１  背面パネル
２  左側面パネル
２ａ  押込み部分
３  正面パネル
３ａ  拡大部分
４  右側面パネル
５  糊代片
６，７  天面パネル
８，９  折込みフラップ
１０，１１  底面パネル
１２，１３  折込みフラップ
Ｐ  商品
Ｓ  蛇腹パーツ
Ｔ  開封開始部分
Ｚ  ジッパー部
ａ〜ｎ  折り線
【図１】
2015063319.tif 000003
【図２】
2015063319.tif 000004
【図３】
2015063319.tif 000005
【図４】
2015063319.tif 000006
【図５】
2015063319.tif 000007